(57)【要約】【課題】強度を向上できるとともに、生産コストを低減できるプラズマ表示装置を提供する。【解決手段】画像を表示するパネル１１１と、パネル１１１の後方に設置されるシャーシベース１１２と、シャーシベース１１２を補強するものであって、シャーシベース１１２と結合されて所定の幅と長さとを有する基部と、基部から曲がって延長形成された延長部とを具備し、延長部の断面の厚さが基部の断面の厚さと異なる補強部材１２０、１３０と、を備えてなる。【選択図】  図１
2005234577.tif 000002
【特許請求の範囲】
【請求項１】
画像を表示するパネルと、
前記パネルの背面に設置されるシャーシベースと、
前記シャーシベースに結合されて前記シャーシベースを補強する、特定の幅と長さとを有する基部と、
前記基部から曲がって延長形成された延長部を具備し、前記延長部の厚さが前記基部の厚さと異なる補強部材と、
を備えることを特徴とするプラズマ表示装置。
【請求項２】
前記基部の厚さをＴ１、前記延長部の厚さをＴ２で表したときに、Ｔ２／Ｔ１＝１．２〜３であることを特徴とする請求項１に記載のプラズマ表示装置。
【請求項３】
前記基部の厚さＴ１と前記シャーシベースの厚さｔとは、Ｔ１／ｔ＝０．７５〜１．５であることを特徴とする請求項１又は請求項２に記載のプラズマ表示装置。
【請求項４】
前記延長部には、前記延長部の厚さより小さな厚さの段差部が形成されたことを特徴とする請求項１乃至請求項３のいずれか一項に記載のプラズマ表示装置。
【請求項５】
前記段差部の断面の厚さをＴ３とする時、Ｔ２／Ｔ３＝０．８〜２であることを特徴とする請求項４に記載のプラズマ表示装置。
【請求項６】
前記基部は、所定の間隔で離隔されてた第１及び第２基部を備え、前記延長部は、前記第１及び第２基部からそれぞれ立ち上がって形成された第１及び第２延長部を備え、前記第１及び第２延長部は、連結部により連結されたことを特徴とする請求項１に記載のプラズマ表示装置。
【請求項７】
前記基部の断面の厚さをＴ４、前記延長部の厚さをＴ５で表したときに、Ｔ５／Ｔ４＝１．２〜３であることを特徴とする請求項６に記載のプラズマ表示装置。
【請求項８】
前記第１及び第２延長部の少なくとも一つには、前記第１及び第２延長部の厚さより小さな厚さの段差部が形成されたことを特徴とする請求項７に記載のプラズマ表示装置。
【請求項９】
前記段差部の断面の厚さをＴ６で表したとき、Ｔ５／Ｔ６＝０．８〜２であることを特徴とする請求項８に記載のプラズマ表示装置。
【請求項１０】
前記基部の断面の厚さと前記連結部の厚さは、実質的に同じであることを特徴とする請求項６乃至請求項９のいずれか一項に記載のプラズマ表示装置。
【請求項１１】
前記補強部材は、圧出成形されたことを特徴とする請求項１に記載のプラズマ表示装置。
【請求項１２】
前記補強部材は、前記シャーシベースの端部に形成されるサイド補強部材を含んでなることを特徴とする請求項１に記載のプラズマ表示装置。
【請求項１３】
前記補強部材は、前記シャーシベースの中央側に設置されるセンター補強部材を更に含んでなることを特徴とする請求項１２に記載のプラズマ表示装置。
【発明の詳細な説明】
【技術分野】
【０００１】
本発明は、プラズマ表示装置に関し、さらに詳しくは、シャーシベースに補強部材を具備するプラズマ表示装置に関する。
【背景技術】
【０００２】
一般に、プラズマ表示装置は、基板の対向面にそれぞれの電極を形成し、基板の間の空間に放電ガスを封入した状態で、所定の電源を印加して放電空間に発生する紫外線によって発光された光を利用して、画像を表示する平板状の表示装置である。このプラズマ表示装置は、厚さが数ｃｍ以下の薄さで、大型画面とすることができ、加えて視野角が１５０゜以上の広さを有するため、次世代画像表示装置として脚光を浴びている。
【０００３】
そのようなプラズマ表示装置は、前面パネル及び背面パネルをそれぞれ製造してそれを結合（接合）させ、そのように結合されたパネルの後方にシャーシベースを組み付けている。そして、シャーシベースに回路基板を実装した後、ケースに装着することでプラズマ表示装置が完成する。
【０００４】
パネルに組み付けられるシャーシベースは、パネルから伝達される熱を放出する機能と、パネルを支持する機能とが要求されるため、アルミニウムなどのような高い熱伝導性を有する金属で形成されることが一般的である。
【０００５】
このようなシャーシベースでは、最近プラズマ表示装置が薄型化されるにつれて、厚さを薄くすることが要求されている。しかし、シャーシベースの厚さが薄くなれば、パネルを支持する機能が弱くなるため、シャーシベースの歪みや折り曲がりを防止するための方策として、シャーシベースの背面に補強部材を設置するものがある。
【発明の開示】
【発明が解決しようとする課題】
【０００６】
上記の補強部材でシャーシベースを補強する効果を高めるには、このシャーシベースの背面に複数の補強部材を設置する必要がある。しかし、補強部材の数が多くなると、シャーシベースの背面での空間活用効率が低下する。したがって、例えば回路基板を配置するのに制約が生じたり、他の部品の組み付けも困難になる。また、補強部材の数の増加に伴い、工数が増えたり、生産コストなどにおいても不利になる。
【０００７】
そこで、補強部材を最適の個数でシャーシベースの最適な箇所に設置させるためには、それぞれの補強部材に対する最適の設計が要求される。
【０００８】
本発明の目的は、シャーシベースの背面に設置される各補強部材の慣性モーメントを増大させることで、シャーシベースに対する補強効果を最大化するとともに、補強部材の個数を削減して生産コストを節減できるプラズマ表示装置を提供することにある。
【課題を解決するための手段】
【０００９】
上述した目的を達成するため、本発明に係るプラズマ表示装置は、画像を表示するパネルと、このパネルの背面に設置されるシャーシベースと、このシャーシベースに結合されてシャーシベースを補強する、特定の幅と長さとを有する基部と、この基部から曲がって延長して形成された延長部を具備し、この延長部の断面の厚さが基部の断面の厚さと異なる補強部材と、を備えることを特徴とする。
【発明の効果】
【００１０】
本発明によれば、補強部材が面積慣性モーメントを増加させる断面形状からなることで、剛性を増大させて、シャーシベースの歪みやたわみを最小化できる。したがって、補強部材を最小限の個数で、シャーシベースを補強する効果を最大化でき、シャーシベースの背面での空間活用を高め得る。また、製造コストと節減できる効果を得ることができる。
【発明を実施するための最良の形態】
【００１１】
以下、本発明の実施の形態に係るプラズマ表示装置の詳細を図面に基づいて説明する。なお、図１は、本実施の形態に係るプラズマ表示装置の分解斜視図である。
【００１２】
図１に示すように、本実施の形態に係るプラズマ表示装置１００は、パネル１１１と、このパネル１１１を支持する矩形板状のシャーシベース１１２と、このシャーシベース１１２の後方に設置される回路基板１１３と、を概ね備えている。
【００１３】
パネル１１１は、前面パネル及び背面パネルから構成されている。前面パネルは、図示しないが、ストライプ状に配設された複数の維持電極と、それぞれの維持電極毎に接続されたバス電極と、これら維持電極及びバス電極を埋め込む前面誘電体層と、前面誘電体層の表面にコーティングされる保護膜層と、を備えている。
【００１４】
そして、背面パネルは、上記した前面パネルと対向して封着（接合）されるものであって、図示しないが、ストライプ状に配置された維持電極に対して直交するように配置された複数のアドレス電極と、これらアドレス電極を埋め込む背面誘電体層と、この背面誘電体層上に形成されて放電空間を限定し、しかもクロス−トークを防止するための隔壁と、この隔壁により区画された放電空間の内側に塗布される赤色、緑色、青色の蛍光体層と、を備えている。一方、パネル１１１の全面にはフィルターが設置されている。このフィルターには、パネルの駆動時に発生される人体に有害な電磁気波を遮断するための電磁波遮蔽層などが含まれる。
【００１５】
そして、このように構成されたパネル１１１の後方には、シャーシベース１１２が配置されている。このシャーシベース１１２は、パネル１１１を支持するとともに、パネル１１１から熱を伝達されて放出させる機能を有する。
【００１６】
このように構成されたパネル１１１は、接着部材１１５、例えば両面テープによりシャーシベース１１２に固定される。そして、パネル１１１とシャーシベース１１２との間には、熱伝導媒体であるパネル用放熱手段１１４が介在されている。このパネル用放熱手段１１４は、パネル１１１で発生した熱を、シャーシベース１１２に伝達させる機能を有している。シャーシベース１１２は、パネル用放熱手段１１４から伝達された熱を外部に排出する機能を有している。
【００１７】
パネル１１１と結合されたシャーシベース１１２の後方には、回路基板１１３が実装される。この回路基板１１３には、例えば、パネル１１１を駆動する電子部品が装着されている。この電子部品は、パネル１１１に電源を供給するための部品、及びパネル１１１に画像を表示させるための信号を出力する部品などの各種の部品を含む。このように構成されたパネル１１１、シャーシベース１１２及び回路基板１１３は、ケース（図示せず）に収容される。
【００１８】
一方、シャーシベース１１２の背面には、シャーシベース１１２の歪みや折り曲がりを防止するために、補強部材１２０、１３０が設置されている。
【００１９】
補強部材１２０、１３０は、それぞれ所定の長さと幅とを有するように形成されており、シャーシベース１１２を補強する効果を高めるために、シャーシベース１１２の中央側に設置されるセンター補強部材１２０と、シャーシベース１１２の端縁部分に設置されるサイド補強部材１３０と、を含む。
【００２０】
そして、センター補強部材１２０は、シャーシベース１１２の横方向（パネル１１１の幅方向）に沿って設置される横補強部材と、シャーシベース１１２の縦方向（パネルの高さ方向）に沿って設置される縦補強部材とを含む。同様に、サイド補強部材１３０も、横補強部材と縦補強部材とを含む。このように、シャーシベース１１２の背面に設置される補強部材１２０、１３０の間の空間に回路基板１１３が配置される。
【００２１】
これら補強部材１２０、１３０は、外力が加えられるか、または熱膨張によって補強部材１２０、１３０に応力が発生する時、応力が均等に分布され得るように、図１に示すように、シャーシベース１１２の背面おいて対称をなすように配置されることが好ましい。
【００２２】
そして、補強部材１２０、１３０としては、シャーシベース１１２の安定した支持のために剛性を有する素材で形成する。具体的にこの素材としては、剛性及び作業性で優秀であるアルミニウムや鋼鉄のような素材が利用されることが好ましい。
【００２３】
また、これら補強部材１２０、１３０の各断面（長手方向と直交する方向の断面）構造は、多様な形状からなり得る。
【００２４】
（センター補強部材）
一例として、図１のII−II線に沿って補強部材１２０を切断した断面構造を図２に示した。
【００２５】
図２に示されたセンター補強部材１２０は、シャーシベース１１２と（ネジ固定により）結合された所定の幅と長さとを有する基部１２１と、この基部１２１の短い幅の一方の側縁部から曲がって延長形成された延長部１２２とを含む。すなわち、このセンター補強部材１２０の断面形状は、略Ｌ字形状である。そして、図２に示すように、基部１２１の断面の厚さをＴ１とし、延長部１２２の断面の厚さをＴ２とすると、Ｔ１とＴ２の値が異なることを本発明の一特徴とする。
【００２６】
すなわち、基部１２１の断面の厚さＴ１は、延長部の断面の厚さＴ２ほど剛性の特性に及ぼす影響が少ないため、シャーシベース１１２との所定の結合強度を有しうる程度、例えば、シャーシベースと補強部材とがアルミニウム素材からなる場合、シャーシベース１１２の厚さ（ｔ）の０．７５〜１．５倍に設定され得る。
【００２７】
そして、延長部１２２の断面の厚さＴ２は、このように設定された基部１２１の断面の厚さＴ１より大きく設定されている。
【００２８】
ここで、延長部１２２の断面の厚さＴ２が厚くなるほど、センター補強部材１２０の全体重量も増加するため、延長部１２２の断面の厚さＴ２と基部１２１の断面の厚さＴ１との間の割合であるＴ２／Ｔ１＝１．２〜３に設定されることが好ましい。加えて、センター補強部材１２０が、上記の断面構造からなるには、センター補強部材１２０は、圧出成形又は押出成形されることが好ましい。
【００２９】
このように、延長部１２２の断面の厚さＴ２が厚くなるほど、面積慣性モーメントが増加して剛性が増大するため、シャーシベース１１２を補強する効果が大きくなる。したがって、シャーシベース１１２の歪みや撓みが最小化され得る。
【００３０】
このような効果は、下記の表１から確認できるが、表１は、延長部１２２の断面の厚さによるシャーシベース１１２の剛性の特性の傾向を、実験によって測定した結果を整理したものである。
【表１】
2005234577.tif 000003
【００３１】
この表１において、シャーシベース１１２の剛性は、シャーシベース１１２の撓み量をシャーシベース１１２に加えられた荷重で割った値として定義したものであり、中央側に配置されたセンター補強部材１２０において、従来のように、延長部１２２の断面の厚さＴ２と基部１２１の断面の厚さＴ１とが同じ場合を１００％とし、延長部１２２の断面の厚さの変更によるシャーシベースの剛性を相対的に比較して表したものである。上記表１から、Ｔ２の値が大きくなるほど、シャーシベースの剛性の特性も共に増加することを確認できる。
【００３２】
（センター補強部材の変形例）
なお、センター補強部材の断面構造は、図２に示したものに限定されず、図３に示す変形例のような構造としても勿論よい。図３に示すように、この変形例では、センター補強部材１２０の延長部１２２には段差部１２３が形成されている。図３においては、段差部１２３の厚さＴ３は、延長部１２２の断面の厚さＴ２より小さく形成されているが、それとは逆に、段差部１２３の厚さＴ３を延長部１２２の断面の厚さＴ１より大きく設定してもよい。
【００３３】
段差部１２３は、延長部１２２の先端側において、所定の長さに形成されており、前記段差部１２３の断面の厚さであるＴ３と、前記延長部１２２の断面の厚さであるＴ２との割合であるＴ２／Ｔ３＝０．８〜２に設定されることが好ましい。
【００３４】
（サイド補強部材）
図４は、図１のIV−IV線に沿ってサイド補強部材１３０を切断した断面構造を示している。
【００３５】
図４に示すように、サイド補強部材１３０は、所定の間隔で離隔され、シャーシベース１１２と結合される第１及び第２基部１３１ａ、１３１ｂを具備する基部１３１と、これら第１及び第２基部１３１ａ、１３１ｂの互いに対向する内側縁部からそれぞれ曲がって立ち上がるように形成された第１及び第２延長部１３２ａ、１３２ｂを具備する延長部１３２と、これら第１及び第２延長部１３２ａ、１３２ｂの端縁部同士を連結する連結部１３３とを含んで構成されている。
【００３６】
これら第１及び第２基部１３１ａ、１３１ｂにおいて、それぞれの断面の厚さをＴ４とし、第１及び第２延長部１３２ａ、１３２ｂにおいて、それぞれの断面の厚さをＴ５とするとき、Ｔ４とＴ５の値が異なることを本発明の一特徴とする。
【００３７】
すなわち、第１及び第２基部１３１ａ、１３１ｂの断面の厚さＴ４は、上述したセンター補強部材１２０と同様に、シャーシベース１１２の厚さの０．７５〜１．５倍に設定されることが好ましい。
【００３８】
第１及び第２延長部１３２ａ、１３２ｂの断面の厚さＴ５は、このように設定された第１及び第２基部１３１ａ、１３１ｂの断面の厚さＴ４より大きく設定されている。また、連結部１３３の断面の厚さＴ７は、第１及び第２基部１３１ａ、１３１ｂの断面の厚さＴ４とほぼ同じ値、すなわち同じ値を有するか、またはそれと類似した値に設定されうる。
【００３９】
ここで、第１及び第２延長部１３２ａ、１３２ｂの断面の厚さＴ５が厚くなるほど、サイド補強部材１３０の全体重量も増加するため、第１及び第２延長部１３２ａ、１３２ｂの断面の厚さＴ５と、第１及び第２基部１３１ａ、１３１ｂの断面の厚さＴ４との間の割合であるＴ５／Ｔ４＝１．２〜３であることが好ましい。そして、サイド補強部材１３０がこのような断面構造からなるには、サイド補強部材１３０は圧出成形または押出成形されることが好ましい。加えて、連結部１３３での断面の厚さＴ７と、第１及び第２基部１３１ａ、１３１ｂでの各断面の厚さＴ４とが同じであると説明したが、必ずしもそれに限定されるものではない。
【００４０】
このように、第１及び第２延長部１３２ａ、１３２ｂの断面の厚さＴ５が厚くなるほど、面積慣性モーメントが増加するため、シャーシベース１１２を補強する効果が向上して、シャーシベース１１２の歪みや撓みが最小化され得る。
【００４１】
（サイド補強部材の変形例）
なお、サイド補強部材１３０の断面構造は、図４に示したものに限定されず、図５に示した変形例のような断面構造であってもよい。
【００４２】
図５に示すように、この変形例においては、サイド補強部材１３０の延長部１３２に段差部１３４が形成されている。すなわち、第１及び第２延長部１３２ａ、１３２ｂには、それぞれ第１及び第２段差部１３４ａ、１３４ｂが形成されている。なお、図５においては、第１及び第２段差部１３４ａ、１３４ｂの厚さＴ６が、第１及び第２延長部１３２ａ、１３２ｂの断面の厚さＴ５よりそれぞれ小さく形成されたものと図示されているが、それとは逆に、第１及び第２段差部の厚さＴ６を第１及び第２延長部の断面の厚さＴ５より大きく形成してもよい。
【００４３】
第１及び第２段差部１３４ａ、１３４ｂは、第１及び第２延長部１３２ａ、１３２ｂの先端部（基部から離れる方向の先端）において、所定の長さに形成されており、第１及び第２段差部１３４ａ、１３４ｂの断面の厚さであるＴ６と、第１及び第２延長部１３２ａ、１３２ｂの断面の厚さであるＴ５との割合であるＴ５／Ｔ６＝０．８〜２に設定され得る。
【００４４】
このような断面構造を有する補強部材１２０、１３０をシャーシベース１１２に設置すれば、最適の個数でシャーシベース１１２を補強する効果を最大化でき、シャーシベース１１２の適所に設置され得るため、シャーシベース１１２の背面での空間活用が容易になり得る。加えて、製造コストを節減できるため有利になる。
【００４５】
上述した実施の形態の開示の一部をなす論述および図面はこの発明を限定するものであると理解すべきではない。この開示から当業者には様々な代替実施の形態、実施例および運用技術が明らかとなろう。
【産業上の利用可能性】
【００４６】
本発明のシャーシベースの補強効果が高まるように、シャーシベースに設置された補強部材が備えられたプラズマ表示装置は、プラズマ表示関連技術分野に適用できる。
【図面の簡単な説明】
【００４７】
【図１】本発明の実施の形態に係るプラズマ表示装置の分解斜視図である。
【図２】図１のII−II線に沿って切断した補強部材の断面図である。
【図３】図２のセンター補強部材の変形例を示した断面図である。
【図４】図１のIV−IV線に沿って切断した補強部材の断面図である。
【図５】図４のサイド補強部材の変形例を示した断面図である。
【符号の説明】
【００４８】
１００    プラズマ表示装置
１１１    パネル
１１２    シャーシベース
１１３    回路基板
１１４    パネル用放熱手段
１１５    接着部材
１２０、１３０    補強部材
【図１】
2005234577.tif 000004
【図２】
2005234577.tif 000005
【図３】
2005234577.tif 000006
【図４】
2005234577.tif 000007
【図５】
2005234577.tif 000008